(57)【要約】【課題】固有情報の再測定を行う必要がない、利便性に優れたプロジェクタシステムを提供する。【解決手段】プロジェクタシステムは、互いに連動して動作する複数のプロジェクタ２１〜２３を有する。各プロジェクタは、自プロジェクタ以外の他のプロジェクタと通信する通信部１２と、自プロジェクタの固有情報と他のプロジェクタの固有情報とを含む共有情報を記憶する記憶領域１１を備えた制御部１０と、を有する。制御部１０は、所定の入力操作に応じて、共有情報が記憶領域１１に格納されているか否かを判断し、共有情報が格納されていない場合は、通信部１２を介して他のプロジェクタから、該他のプロジェクタの記憶領域に記憶されている共有情報を取得する。【選択図】図１
2019193215.tif 000002
【特許請求の範囲】
【請求項１】
互いに連動して動作する複数のプロジェクタを有するプロジェクタシステムであって、
前記複数のプロジェクタの各々は、
自プロジェクタ以外の他のプロジェクタと通信する通信部と、
自プロジェクタの固有情報と前記他のプロジェクタの固有情報とを含む共有情報を記憶する記憶領域を備え、所定の入力操作に応じて、前記共有情報が前記記憶領域に記憶されているか否かを判断し、前記共有情報が記憶されていない場合は、前記通信部を介して前記他のプロジェクタから、該他のプロジェクタの記憶領域に記憶されている前記共有情報を取得する制御部とを有するプロジェクタシステム。
【請求項２】
前記固有情報は、当該固有情報を更新した日時を示す更新日時情報を含み、
各プロジェクタの前記制御部は、前記更新日時情報を参照して、互いの記憶領域に記憶されている前記共有情報のうちから最新の共有情報を取得し、該最新の共有情報に基づいて、自身の記憶領域に記憶されている前記共有情報を更新する、請求項１に記載のプロジェクタシステム。
【請求項３】
前記固有情報は、プロジェクタの光源の色度を調整するための補正値を含む、請求項１または２に記載のプロジェクタシステム。
【請求項４】
前記固有情報は、プロジェクタを識別するための識別情報を含む、請求項３に記載のプロジェクタシステム。
【請求項５】
前記複数のプロジェクタの各々は、前記制御部を搭載する交換可能な基板を有する、請求項１乃至４のいずれか一項に記載のプロジェクタシステム。
【請求項６】
互いに連動して動作する複数のプロジェクタを有するプロジェクタシステムを構成するプロジェクタであって、
自プロジェクタ以外の他のプロジェクタと通信する通信部と、
自プロジェクタの固有情報と前記他のプロジェクタの固有情報とを含む共有情報を記憶する記憶領域を備え、所定の入力操作に応じて、前記共有情報が前記記憶領域に記憶されているか否かを判断し、前記共有情報が記憶されていない場合は、前記通信部を介して前記他のプロジェクタから、該他のプロジェクタの記憶領域に記憶されている前記共有情報を取得する制御部とを有するプロジェクタ。
【請求項７】
互いに連動して動作する複数のプロジェクタを有するプロジェクタシステムを構成するプロジェクタにて行われる固有情報管理方法であって、
所定の入力操作に応じて、自プロジェクタの固有情報と自プロジェクタ以外の他のプロジェクタの固有情報とを含む共有情報が記憶領域に記憶されているか否かを判断し、前記共有情報が記憶されていない場合は、前記通信部を介して前記他のプロジェクタから、該他のプロジェクタの記憶領域に記憶されている前記共有情報を取得する、固有情報管理方法。
【請求項８】
互いに連動して動作する複数のプロジェクタを有するプロジェクタシステムを構成するプロジェクタのコンピュータに、
所定の入力操作に応じて、自プロジェクタの固有情報と自プロジェクタ以外の他のプロジェクタの固有情報とを含む共有情報が記憶領域に記憶されているか否かを判断し、前記共有情報が記憶されていない場合は、前記通信部を介して前記他のプロジェクタから、該他のプロジェクタの記憶領域に記憶されている前記共有情報を取得する処理を実行させるためのプログラム。
【発明の詳細な説明】
【技術分野】
【０００１】
本発明は、プロジェクタシステム、プロジェクタ、固有情報管理方法及びプログラムに関する。
【背景技術】
【０００２】
複数のプロジェクタを互いに連動させて動作せるプロジェクタシステムが知られている。このようなプロジェクタシステムでは、プロジェクタ毎に、画像を投写するのに必要な調整が行われる。
例えば、プロジェクタは、赤（Ｒ）、緑（Ｇ）及び青（Ｂ）の光をそれぞれ検出する光センサーを備え、この光センサーを使用して光源の色度を調整することができる。色度調整において、制御部は、ＲＧＢの検出値に基づいて所望の色度を得るための補正値を算出し、この補正値を保存する。投写を行う際は、制御部が、保存した補正値を用いて光源の色度を調整することで、所望の色度を維持することができる。
上記プロジェクタシステムにおいて、プロジェクタ毎に、色度調整が行われ、補正値が保存される。この補正値は、プロジェクタに固有の情報である。
【０００３】
また、外部の色度計を使用して、プロジェクタ間の出画色度のバラつきを補正することもできる。例えば、プロジェクタの設置時に、色度計を用いて、各プロジェクタの出画色度を測定する。各プロジェクタにおいて、制御部が、色度計の測定値に基づいて、所定の色度で出画できる補正値を算出し、この補正値を保存する。投写を行う際は、制御部が、保存した補正値を用いて画像データを補正する。これにより、各プロジェクタが同じ色度で出画できる。この場合の補正値も、プロジェクタに固有の情報である。
上記のように、プロジェクタシステムにおいて、各プロジェクタは自プロジェクタの固有情報を保存するように構成されている。
【０００４】
プロジェクタシステムの関連技術として、特許文献１には、複数のプロジェクタを組み合わせたマルチスクリーン装置において、プロジェクタ毎に、色補正を行うことが記載されている。
【先行技術文献】
【特許文献】
【０００５】
【特許文献１】特開２００７−２７９６４３号公報
【発明の概要】
【発明が解決しようとする課題】
【０００６】
しかしながら、上述のプロジェクタシステムには、以下のような問題がある。
いずれかのプロジェクタにおいて、故障等のために、固有情報を消失したり、固有情報が保存されている基板を交換したりした場合には、再度、固有情報を取得するための測定を行う必要がある。そのような再測定の作業は、使用者にとって非常に煩わしい。
【０００７】
特許文献１に記載のマルチスクリーン装置においても、固有情報を消失したり、固有情報が保存されている基板を交換したりした場合には、再測定を行う必要があり、上記と同様の問題を生じる。
【０００８】
本発明の目的は、上記問題を解決し、固有情報の再測定を行う必要がない、利便性に優れた、プロジェクタシステム、プロジェクタ、固有情報管理方法及びプログラムを提供することにある。
【課題を解決するための手段】
【０００９】
上記目的を達成するため、本発明のプロジェクタシステムは、
互いに連動して動作する複数のプロジェクタを有するプロジェクタシステムであって、
前記複数のプロジェクタの各々は、
自プロジェクタ以外の他のプロジェクタと通信する通信部と、
自プロジェクタの固有情報と前記他のプロジェクタの固有情報とを含む共有情報を記憶する記憶領域を備え、所定の入力操作に応じて、前記共有情報が前記記憶領域に記憶されているか否かを判断し、前記共有情報が記憶されていない場合は、前記通信部を介して前記他のプロジェクタから、該他のプロジェクタの記憶領域に記憶されている前記共有情報を取得する制御部とを有する。
【００１０】
本発明のプロジェクタは、
互いに連動して動作する複数のプロジェクタを有するプロジェクタシステムを構成するプロジェクタであって、
自プロジェクタ以外の他のプロジェクタと通信する通信部と、
自プロジェクタの固有情報と前記他のプロジェクタの固有情報とを含む共有情報を記憶する記憶領域を備え、所定の入力操作に応じて、前記共有情報が前記記憶領域に記憶されているか否かを判断し、前記共有情報が記憶されていない場合は、前記通信部を介して前記他のプロジェクタから、該他のプロジェクタの記憶領域に記憶されている前記共有情報を取得する制御部と、を有する。
【００１１】
本発明の固有情報管理方法は、
互いに連動して動作する複数のプロジェクタを有するプロジェクタシステムを構成するプロジェクタにて行われる固有情報管理方法であって、
所定の入力操作に応じて、自プロジェクタの固有情報と自プロジェクタ以外のプロジェクタの固有情報とを含む共有情報が記憶領域に記憶されているか否かを判断し、前記共有情報が記憶されていない場合は、前記通信部を介して前記他のプロジェクタから、該他のプロジェクタの記憶領域に記憶されている前記共有情報を取得することを含む。
【００１２】
本発明のプログラムは、
互いに連動して動作する複数のプロジェクタを有するプロジェクタシステムを構成するプロジェクタのコンピュータに、
所定の入力操作に応じて、自プロジェクタの固有情報と自プロジェクタ以外の他のプロジェクタの固有情報とを含む共有情報が記憶領域に記憶されているか否かを判断し、前記共有情報が記憶されていない場合は、前記通信部を介して前記他のプロジェクタから、該他のプロジェクタの記憶領域に記憶されている前記共有情報を取得する処理を実行させるように構成されている。
【発明の効果】
【００１３】
本発明によれば、例えば、固有情報を消失したり、固有情報が保存されている基板を交換したりした場合に、再測定を行う必要がないので、利便性が向上する。
【図面の簡単な説明】
【００１４】
【図１】本発明の第１の実施形態によるプロジェクタシステムの構成を示すブロック図である。
【図２】本発明の第２の実施形態によるプロジェクタシステムの構成を示すブロック図である。
【図３】図２に示すプロジェクタシステムを構成するプロジェクタの構成を示すブロック図である。
【図４】色度補正値情報管理処理の一手順を示すフローチャートである。
【図５】色度補正値情報を説明するための図であって、分図（ａ）〜（ｃ）は、各プロジェクタの補正値記憶領域の記憶内容を示す模式図である。
【図６】色度補正値情報を共有した状態を説明するための図であって、分図（ａ）〜（ｃ）は、各プロジェクタの補正値記憶領域の記憶内容を示す模式図である。
【図７】色度補正値情報の更新例を示す模式図である。
【図８】色度補正値情報を更新した状態を説明するための図であって、分図（ａ）〜（ｃ）は、各プロジェクタの補正値記憶領域の記憶内容を示す模式図である。
【図９】基板交換後の色度補正値情報を説明するための図であって、分図（ａ）〜（ｃ）は、各プロジェクタの補正値記憶領域の記憶内容を示す模式図である。
【図１０】基板交換を行ったプロジェクタに各プロジェクタの最新の色度補正値情報を格納する状態を説明するための図であって、分図（ａ）〜（ｃ）は、各プロジェクタの補正値記憶領域の記憶内容を示す模式図である。
【発明を実施するための形態】
【００１５】
次に、本発明の実施形態について図面を参照して説明する。
（第１の実施形態）
図１は、本発明の第１の実施形態によるプロジェクタシステムの構成を示すブロック図である。
【００１６】
図１を参照すると、プロジェクタシステムは、互いに連動して動作する複数のプロジェクタ１1〜１nを有する。プロジェクタ１1〜１nは、互いの固有情報を共有することができる。プロジェクタ１1〜１nの各々は、自プロジェクタの固有情報と他のプロジェクタの固有情報とを含む共有情報を記憶する記憶領域１１を備えた制御部１０と、自プロジェクタ以外の他のプロジェクタと通信する通信部１２と、を有する。
制御部１０は、交換可能な基板上に搭載されても良い。固有情報は、例えば、光源の色度や出画色度などを補正するための補正値やプロジェクタを識別するための識別情報などを含んでいても良い。
【００１７】
制御部１０は、所定の入力操作に応じて、共有情報が記憶領域１１に記憶されているか否かを判断する。共有情報が記憶領域１１に記憶されていない場合は、制御部１０は、通信部１２を介して他のプロジェクタから、該他のプロジェクタの記憶領域に記憶されている共有情報を取得する。そして、制御部１０は、取得した共有情報を記憶領域１１に格納する。
【００１８】
本実施形態のプロジェクタシステムによれば、プロジェクタ１1〜１nの各々において、制御部１０は、自プロジェクタの固有情報と他のプロジェクタの固有情報とを含む共有情報を記憶領域１１にて管理する。固有情報を消失したり、固有情報が保存されている基板を交換したりした場合には、共有情報が記憶領域１１に格納されていないため、制御部１０は、通信部１２を介して他のプロジェクタから共有情報を取得する。他のプロジェクタから取得した共有情報には、自プロジェクタの固有情報が含まれている。よって、固有情報を取得するための再測定を行う必要がなく、プロジェクタの利便性が向上する。
【００１９】
本実施形態のプロジェクタシステムにおいて、固有情報は、当該固有情報を更新した日時を示す更新日時情報を含むものであっても良い。この場合、プロジェクタ１1〜１nの各々において、制御部１０は、更新日時情報を参照して、互いの記憶領域１１に記憶されている共有情報のうちから最新の共有情報を取得し、該最新の共有情報に基づいて、自身の記憶領域１１の共有情報を更新しても良い。
【００２０】
（第２の実施形態）
図２は、本発明の第２の実施形態によるプロジェクタシステムの構成を示すブロック図である。
【００２１】
図２を参照すると、プロジェクタシステムは、ネットワークハブ２０と、３つのプロジェクタ２１〜２３を有する。ネットワークハブ２０は、３つのポート２０ａ〜２０ｃを備える。プロジェクタ２１〜２３はそれぞれポート２１ａ、２２ａ、２３ａを備える。
ポート２０ａは、通信ケーブルを介してプロジェクタ２１のポート２１ａに接続されている。ポート２０ｂは、通信ケーブルを介してプロジェクタ２２のポート２２ａに接続されている。ポート２０ｃは、通信ケーブルを介してプロジェクタ２３のポート２３ａに接続されている。プロジェクタ２１〜２３は、ネットワークハブ２０を介して相互に通信可能であり、互いに連動して動作する。
【００２２】
プロジェクタ２１〜２３はいずれも同じ構造である。図３に、これらプロジェクタ２１〜２３に適用されるプロジェクタの構成を示す。
図３を参照すると、プロジェクタは、投写レンズ３０、画像形成部３１、光源３２、光源制御部３３、通信部３４、操作部３５、表示部３６、記憶部３７及び制御部４０を有する。
【００２３】
光源３２は、色度を調整することができるように構成されている。例えば、光源３２は、電流の供給を受けて、赤色成分（Ｒ）、緑色成分（Ｇ）および青色成分（Ｂ）を含む混色光（白色光）を射出し、供給電流量に応じて各色成分の光量および割合が変化するように構成されている。
光源制御部３３は、制御部４０からの光源制御信号に従って、光源３２の動作を制御する。例えば、光源制御部３３は、光源３２の供給電流量を制御することで、光源３２の色度を調整することができる。
【００２４】
画像形成部３１は、光源３２の射出光である白色光を複数の色光に分離し、各色光を空間的／時間的に変調して画像を形成する表示素子を有する。表示素子として、ＤＭＤ（デジタルミラーデバイス）や液晶パネルなどを用いることができる。投写レンズ３０は、画像形成部３１で形成した画像を投写面上に拡大投写する。
通信部３４は、外部映像機器や他のプロジェクタとの通信が可能である。例えば、通信部３４は、図２に示したネットワークハブ２０を介して他のプロジェクタと相互に通信することができる。プロジェクタ２１〜２３の各々の通信部３４をネットワークハブ２０のポートに接続した状態で、これらプロジェクタ２１〜２３を連動させるための連動設定が行われる。
【００２５】
操作部３５は、入力操作を受け付け、入力操作に応じた操作信号を制御部４０に供給する。操作部３５は、例えば、操作キーや操作パネル（タッチパネル）などを備え、使用者は、操作部３５を用いてプロジェクタを操作することができ、プロジェクタを動作させるのに必要なデータや指示を入力することができる。例えば、使用者は、プロジェクタ２１〜２３の各々の操作部３５を用いて、プロジェクタ２１〜２３を連動して動作させるための連動設定を行うことができる。
表示部３６は、例えば、液晶パネルからなる。表示部３６は、制御部４０からの表示制御信号に従って情報を表示する。例えば、連動設定に必要な情報を表示部３６に表示することができる。
【００２６】
記憶部３７は、プロジェクタを動作させるのに必要なプログラムやデータを格納する。記憶部３７は、プロジェクタを識別するための識別情報（例えば、シリアルナンバー）を記憶するための識別情報記憶領域３８を有する。
制御部４０は、ＣＰＵ（Central Processing Unit）等からなり、プロジェクタの各構成部の動作を制御する。例えば、制御部４０は、操作部３５からの操作信号に従って、プロジェクタ２１〜２３を連動して動作させるための連動設定を行うとともに、固有情報である色度補正値情報の共有管理を行う色度補正値情報管理処理を実行する。色度補正値情報は、光源３２の色度を調整するための補正値、プロジェクタ識別情報、補正値の測定日時などの情報を含む。測定日時情報は、更新日時情報の一例である。
【００２７】
色度補正値情報管理処理において、制御部４０は、自プロジェクタの色度補正値情報と他のプロジェクタの色度補正値情報とを含む共有情報を補正値記憶領域３９にて管理する。例えば、制御部４０は、所定の入力操作に応じて、共有情報が補正値記憶領域３９に格納されているか否かを判断する。共有情報が補正値記憶領域３９に格納されていない場合は、制御部４０は、通信部３４を介して他のプロジェクタから、該他のプロジェクタが管理している共有情報を取得し、取得した該共有情報を補正値記憶領域３９に格納する。なお、補正値記憶領域３９と識別情報記憶領域３８は別々の基板に設けることが望ましい。
【００２８】
また、制御部４０は、測定日時情報を参照して、各プロジェクタで管理している共有情報のうちから最新の共有情報を取得し、該最新の共有情報に基づいて、自身の補正値記憶領域３９にて管理している共有情報を更新する。
【００２９】
次に、本実施形態のプロジェクタシステムの動作を具体的に説明する。
図４に、色度補正値情報管理処理の一手順を示す。色度補正値情報管理処理は、固有情報管理方法の一例である。
【００３０】
まず、ステップＳ１０で、プロジェクタ２１〜２３の連動設定を行う。具体的には、プロジェクタ２１〜２３をネットワークハブ２０に接続し、プロジェクタ２１〜２３のそれぞれにＩＰ（Internet Protocol）アドレスを割り当てる。そして、プロジェクタ２１〜２３の各々において、使用者が、操作部３５を用いて、連動設定に必要な情報及び指示を入力する。ＤＨＣＰ（Dynamic Host Configuration Protocol）サーバを用いたり、ＤＨＣＰ機能をネットワークハブ２０に搭載したりすることで、ＩＰアドレスを自動で割り当てることができる。なお、ＩＰアドレスの割り当ては良く知られている技術であるので、ここでは、その詳細な説明は省略する。
【００３１】
上記連動設定の後、プロジェクタ２１〜２３の各々において、制御部４０が、以下のステップＳ１１〜１３の処理を実行する。
ステップＳ１１で、制御部４０が、共有情報が補正値記憶領域３９に格納されているか否かを判断する。
ステップＳ１１の判定結果が「Ｙｅｓ」である場合、ステップＳ１２で、制御部４０が、自身の補正値記憶領域３９に格納されている各プロジェクタの色度補正値情報が他のプロジェクタで管理している各プロジェクタの色度補正値情報と一致するか否かを判定する。
【００３２】
ステップＳ１１又はステップＳ１２の判定結果が「Ｎｏ」である場合、ステップＳ１３で、制御部４０が、測定日時情報を参照して、最新の色度補正値情報を取得する。そして、制御部４０が、最新の色度補正値情報に基づいて、自身の補正値記憶領域３９に格納されている各プロジェクタの色度補正値情報を更新する。
ステップＳ１２の判定結果が「Ｙｅｓ」である場合、又は、ステップＳ１３を実行した後、制御部４０は、色度補正値情報管理処理を終了する。
以上は、色度補正値情報管理処理の説明である。
【００３３】
次に、上記の色度補正値情報管理処理の手順に沿って、プロジェクタ２１〜２３の各々に格納される各プロジェクタの色度補正値情報（共有情報）がどのように変化するかを、具体的に説明する。
【００３４】
（プロジェクタ２１〜２３を連動設定：ステップＳ１０）
図５は、連動設定時のプロジェクタ２１〜２３の各々に記憶されている色度補正値情報の一例を示す模式図である。図５において、分図（ａ）はプロジェクタ２１の補正値記憶領域３９の記憶内容を示し、分図（ｂ）はプロジェクタ２２の補正値記憶領域３９の記憶内容を示し、分図（ｃ）はプロジェクタ２３の補正値記憶領域３９の記憶内容を示す。図５中、「Ｓ／Ｎ」は、プロジェクタ識別情報を示す。
図５に示すように、プロジェクタ２１〜２３の各々の補正値記憶領域３９には、個別に測定した自プロジェクタの色度補正値情報が格納されており、他のプロジェクタの色度補正値情報は格納されていない。例えば、図５の分図（ａ）を参照すると、プロジェクタ２１の補正値記憶領域３９には、自プロジェクタの色度補正値情報（「Ｓ／Ｎ：０００１、補正値：ＸＸＸ、測定日：２０１８０３０１）が格納されているが、他のプロジェクタの色度補正値情報は格納されていない。
【００３５】
（プロジェクタ２１〜２３の各々で色度補正値情報を共有：ステップＳ１１、Ｓ１３）
図５に示した例では、補正値記憶領域３９には、自プロジェクタの色度補正値情報のみが格納されているため、ステップＳ１１の判定結果は「Ｎｏ」となる。その結果、ステップ１３で、プロジェクタ２１〜２３の各々が色度補正値情報を共有する。
図６は、プロジェクタ２１〜２３の各々が色度補正値情報を共有した状態を示す模式図である。図６において、分図（ａ）はプロジェクタ２１の補正値記憶領域３９の記憶内容を示し、分図（ｂ）はプロジェクタ２２の補正値記憶領域３９の記憶内容を示し、分図（ｃ）はプロジェクタ２３の補正値記憶領域３９の記憶内容を示す。図６中、「Ｓ／Ｎ」は、プロジェクタ識別情報を示す。
【００３６】
図６に示すように、プロジェクタ２１〜２３の各々の補正値記憶領域３９には、各プロジェクタの色度補正値情報を含む共有情報が格納されている。例えば、図６の分図（ａ）を参照すると、プロジェクタ２１の補正値記憶領域３９には、プロジェクタ２１の色度補正値情報（「Ｓ／Ｎ：０００１、補正値：ＸＸＸ、測定日：２０１８０３０１）、プロジェクタ２２の色度補正値情報（「Ｓ／Ｎ：０００２、補正値：ＹＹＹ、測定日：２０１８０３２２）、及び、プロジェクタ２３の色度補正値情報（「Ｓ／Ｎ：０００３、補正値：ＺＺＺ、測定日：２０１７１２０２）が格納されている。
【００３７】
（いずれかのプロジェクタの色度補正値情報を更新：ステップＳ１２、Ｓ１３）
図７に、プロジェクタ２３の色度補正値情報を更新した例を示す。図７中、「Ｓ／Ｎ」は、プロジェクタ識別情報を示す。この図７の例では、「補正値：ＺＺＺ」が「補正値：ＡＡＡ」に更新され、「測定日：２０１７１２０２」が「測定日：２０１８０３３１」に更新されている。これは、使用者が、プロジェクタ２３において、色度の再測定を行ったことを意味する。
上記更新のために、プロジェクタ２３の補正値記憶領域３９に格納されている各プロジェクタの色度補正値情報は、プロジェクタ２１、２２の補正値記憶領域３９に格納されている各プロジェクタの色度補正値情報と一致しない。このため、ステップＳ１２の判定結果が「Ｎｏ」となる。ステップＳ１３で、プロジェクタ２１〜２３の各々において、制御部４０が、測定日時情報を参照して、最新の色度補正値情報を取得し、自身の補正値記憶領域３９に格納されている各プロジェクタの色度補正値情報を更新する。
【００３８】
図８は、プロジェクタ２１〜２３の各々が色度補正値情報を更新した状態を示す模式図である。図８において、分図（ａ）はプロジェクタ２１の補正値記憶領域３９の記憶内容を示し、分図（ｂ）はプロジェクタ２２の補正値記憶領域３９の記憶内容を示し、分図（ｃ）はプロジェクタ２３の補正値記憶領域３９の記憶内容を示す。図８中、「Ｓ／Ｎ」は、プロジェクタ識別情報を示す。
図８に示すように、プロジェクタ２１〜２３の各々の共有情報が最新の状態とされる。例えば、図８の分図（ａ）を参照すると、プロジェクタ２１の補正値記憶領域３９には、プロジェクタ２１の色度補正値情報（「Ｓ／Ｎ：０００１、補正値：ＸＸＸ、測定日：２０１８０３０１）、プロジェクタ２２の色度補正値情報（「Ｓ／Ｎ：０００２、補正値：ＹＹＹ、測定日：２０１８０３２２）、及び、プロジェクタ２３の色度補正値情報（「Ｓ／Ｎ：０００３、補正値：ＡＡＡ、測定日：２０１８０３３１）が格納されている。ここで、プロジェクタ２３の色度補正値情報に関し、「補正値：ＺＺＺ」が「補正値：ＡＡＡ」に更新され、「測定日：２０１７１２０２」が「測定日：２０１８０３３１」に更新されている。図８の分図（ｂ）に示すように、プロジェクタ２２の補正値記憶領域３９においても、同様の更新が行われている。
【００３９】
（いずれかのプロジェクタの基板を交換：ステップＳ１１、Ｓ１３）
図９は、プロジェクタ２２の基板交換後のプロジェクタ２１〜２３の各々が記憶する色度補正値情報の一例を示す模式図である。図９において、分図（ａ）はプロジェクタ２１の補正値記憶領域３９の記憶内容の一例を示し、分図（ｂ）はプロジェクタ２２の補正値記憶領域３９の記憶内容を示し、分図（ｃ）はプロジェクタ２３の補正値記憶領域３９の記憶内容を示す。図９中、「Ｓ／Ｎ」は、プロジェクタ識別情報を示す。
図９に示すように、プロジェクタ２１、２３の各々の補正値記憶領域３９には、各プロジェクタの色度補正値情報を含む共有情報が記憶されているが、基板を交換したプロジェクタ２２の補正値記憶領域３９には、何も情報が記憶されていない。このため、プロジェクタ２２の制御部４０は、ステップＳ１１で「Ｎｏ」と判定し、ステップＳ１３で、プロジェクタ２１、２３のいずれかで管理している各プロジェクタの最新の色度補正値情報を取得する。
【００４０】
図１０は、基板交換を行ったプロジェクタ２２に各プロジェクタの最新の色度補正値情報を格納する状態を示す模式図である。図１０において、分図（ａ）はプロジェクタ２１の補正値記憶領域３９の記憶内容の一例を示し、分図（ｂ）はプロジェクタ２２の補正値記憶領域３９の記憶内容を示し、分図（ｃ）はプロジェクタ２３の補正値記憶領域３９の記憶内容を示す。図１０中、「Ｓ／Ｎ」は、プロジェクタ識別情報を示す。
図１０に示すように、プロジェクタ２１の補正値記憶領域３９には、プロジェクタ２１〜２３の各々の色度補正値情報を含む共有情報が格納されている。このプロジェクタ２１の補正値記憶領域３９に格納されている共有情報がそのまま、基板を交換したプロジェクタ２２の補正値記憶領域３９に格納される。
【００４１】
以上説明した色度補正値情報管理処理において、色度補正値情報の更新は、連動設定を解除した状態で行うことが望ましい。
プロジェクタ２１〜２３のいずれかのプロジェクタにおいて、連動設定を解除した状態で色度補正値情報を更新し、その後、再度、連動設定を行った場合に、同じＳ/Ｎで、異なる補正値が存在することがある。この場合は、制御部４０が、更新日時情報を参照し、最新の補正値を含む色度補正値情報を残し、該色度補正値情報以外は削除する。
【００４２】
また、連動設定されている各プロジェクタには、常に、同じ共有情報（各プロジェクタの色度補正値情報）が格納されている必要がある。このため、プロジェクタ２１〜２３の各々において、以下に記載する（１）〜（３）のいずれかの更新タイミングで、互いの共有情報（各プロジェクタの色度補正値情報）が一致しているか否かを確認し、不一致の場合は、最新の状態に書き換えることが望ましい。
（１）プロジェクタ２１〜２３のいずれかで補正値を再測定して保存した時
（２）プロジェクタ２１〜２３を連動設定した時
（３）連動設定されたプロジェクタ２１〜２３の各々が連動動作を開始した時
【００４３】
以上説明した本実施形態のプロジェクタシステムによれば、プロジェクタ２１〜２３の各々で、共有情報（各プロジェクタの色度補正値情報）を保持している。したがって、いずれかのプロジェクタにおいて、共有情報を消失したり、共有情報が保存されている基板を交換したりした場合には、他のプロジェクタから共有情報を取得することができる。この取得した共有情報には、自プロジェクタの色度補正値情報が含まれているので、色度補正値情報を取得するための再測定を行う必要はない。このように再測定を行う必要がないので、プロジェクタの利便性が向上する。
【００４４】
また、いずれかのプロジェクタにおいて、色度補正値情報を更新した場合に、使用者が、他のプロジェクタの共有情報を更新する作業を手動で行うと、入力操作ミスのために、間違った値を入力してしまう場合がある。本実施形態によれば、色度補正値情報の更新は自動的に行われるため、そのような入力操作ミスの問題は生じない。
【００４５】
なお、本実施形態のプロジェクタシステムにおいて、連動設定されるプロジェクタの数は３つに限定されない。プロジェクタの数は２つ、又は、４つ以上であっても良い。
プロジェクタの固有情報として、光源の色度を調整するための補正値を含む色度補正値情報を例に挙げたが、これに限定されない。例えば、投写レンズを構成するレンズの位置座標、投写画像ムラを補正するための補正値、プロジェクタ間の出画色度のバラつきを補正する補正値などを固有情報として用いることができる。ここで、レンズの位置座標は、例えば、レンズシフト機構におけるレンズのシフト方向及びシフト量を示す情報や、フォーカスレンズの位置情報を示す情報である。レンズシフト機構は、投写レンズを構成するレンズ群を、該レンズ群の光軸と交差又は直交する方向に移動する機構である。
【００４６】
以上、実施形態を参照して本発明を説明したが、本発明は上述したような実施形態に限定されものではない。本発明の構成や詳細については、本発明のスコープ内で当業者が理解し得る様々な変更が可能である。
【００４７】
また、第１及び第２の実施形態では、本発明をハードウェアの構成として説明したが、本発明は、これに限定されるものではない。本発明は、制御部１０、４０が行う処理内容を手順として記述したコンピュータプログラム（以下、プログラムと称する）をＣＰＵに実行させることにより実現することも可能である。ここで、ＣＰＵは、プログラムが記録された記録媒体から読み込まれたプログラムを実行するコンピュータとして動作するものである。
【００４８】
このプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）に格納され、コンピュータへ供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｃｏｍｐａｃｔ  Ｄｉｓｃ−Ｒｅａｄ  Ｏｎｌｙ  Ｍｅｍｏｒｙ）、ＣＤ−Ｒ、ＣＤ−Ｒ／Ｗ、ＤＶＤ（Ｄｉｇｉｔａｌ  Ｖｅｒｓａｔｉｌｅ  Ｄｉｓｃ）、Ｂｌｕ−ｒａｙ（登録商標）  Ｄｉｓｃ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）がコンピュータに供給するものであっても良い。一時的なコンピュータ可読媒体の例は、電気信号、光信号、および電磁波を含む。一時的なコンピュータ可読媒体は、電線及び光ファイバ等の有線通信路、または無線通信路を介して、プログラムをコンピュータへ供給できる。
【符号の説明】
【００４９】
１1〜１n  プロジェクタ
１０  制御部
１１  記憶領域
１２  通信部
【図１】
2019193215.tif 000003
【図２】
2019193215.tif 000004
【図３】
2019193215.tif 000005
【図４】
2019193215.tif 000006
【図５】
2019193215.tif 000007
【図６】
2019193215.tif 000008
【図７】
2019193215.tif 000009
【図８】
2019193215.tif 000010
【図９】
2019193215.tif 000011
【図１０】
2019193215.tif 000012